(57)【特許請求の範囲】
【請求項１】
障子と枠と自動開閉装置とラックを備え、自動開閉装置は、障子または枠のいずれかに取り付けてあると共にギアを有し、ラックは、障子と枠のうちの自動開閉装置のないほうに有しており、自動開閉装置は、ラックとギアとが係合したときの障子の開放方向への動作、または閉鎖方向への動作により蓄積したエネルギーを利用して障子を閉鎖または開放するものであり、ラックは、ギアと係脱自在に移動可能であると共に、ラックの移動操作により障子に対する自動開閉装置の作動の有無を選択できることを特徴とする引戸。
【請求項２】
ラックは、上下枠または障子に対して移動自在なラックホルダーに固定されており、ラックホルダーは、レバーを有しており、レバーを操作してラックホルダーをスライドしたときにラックが移動し、ラックとギアの係合の有無を選択できることを特徴とする請求項１記載の引戸。
【発明の詳細な説明】
【技術分野】
【０００１】
本発明は、自動開閉装置を備えた引戸に関するものである。
【背景技術】
【０００２】
高齢者住宅や福祉施設、病院等に使用される出入口は、車椅子に乗った人が行き来できるように、開口が広い構造をとっており、その間口に対応した引戸障子が取り付けてある。また、これらの引戸には、利用者の開閉操作を補助するため、特開２００９−２２８４１０号公報に開示されるように、開放した障子が自動で閉鎖するものや、特開２００７−０３９９９７号公報に開示されるように、利用者が僅かに開放動作及び閉鎖動作を行うことにより自動で障子が全開放又は全閉鎖するものがある。このような引戸は、障子を開閉したときに上部に取り付けてあるゼンマイにエネルギーが蓄積され、そのエネルギーを利用して障子の開閉を補助する構造となっている。
【先行技術文献】
【特許文献】
【０００３】
特開２００９−２２８４１０号公報
特開２００７−０３９９９７号公報
特開平７−０１８９４０号公報
【発明の概要】
【発明が解決しようとする課題】
【０００４】
しかしながら、上記先行技術の引戸は、上記のように利用者の開閉操作を補助できる反面、障子を操作したときにゼンマイを変形してエネルギーを蓄積するために、操作の負荷が通常の引戸より大きくなってしまい、利用者によってはかえって利用しづらいなどの問題点もあるが、高齢者福祉施設や病院では入所者や利用者の入れ替わりがあるので、入所者にあわせて障子の開閉の補助を切り換えられない不都合もあった。また、状況に応じて開閉を制御する機能の有無を選択できるものが特開平７−０１８９４０号公報に開示されている。しかしながら、前述のものはピニオンギアを電気的制御により移動させてラックと係脱自在とするものであるため、構成が複雑なものであり、ピニオンギアのように小さな部材を移動可能に設けてあることから、強度の点においても難点のあるものであった。
本発明は、上記課題を鑑みてなされたものであり、簡単な構造及び操作により障子が自動開閉する機能の作動と解除の切り替えができる引戸を提供することにある。
【課題を解決するための手段】
【０００５】
本発明のうち請求項１記載の発明は、障子と枠と自動開閉装置とラックを備え、自動開閉装置は、障子または枠のいずれかに取り付けてあると共にギアを有し、ラックは、障子と枠のうちの自動開閉装置のないほうに有しており、自動開閉装置は、ラックとギアとが係合したときの障子の開放方向への動作、または閉鎖方向への動作により蓄積したエネルギーを利用して障子を閉鎖または開放するものであり、ラックは、ギアと係脱自在に移動可能であると共に、ラックの移動操作により障子に対する自動開閉装置の作動の有無を選択できることを特徴とする。
【０００６】
本発明のうち請求項２記載の発明では、ラックは、上下枠または障子に対して移動自在なラックホルダーに固定されており、ラックホルダーは、レバーを有しており、レバーを操作してラックホルダーをスライドしたときにラックが移動し、ラックとギアの係合の有無を選択できることを特徴とする。
【発明の効果】
【０００７】
本発明の請求項１記載の発明によれば、障子または枠に取り付けてあるラックを移動して自動開閉装置のギアに係合させることにより、ギアと連動する自動開閉装置が作動し、また、ラックをギアから離せば、ギアと連動する自動開閉装置にエネルギーが蓄積されず、通常の引戸として使用することができる。
【０００８】
本発明の請求項２記載の発明によれば、自動開閉装置の作動の有無の選択がレバーをスライドさせることにより行われることから、切り替え時の操作性が向上する。
【図面の簡単な説明】
【０００９】
【図１】図２中のＢを拡大した正面図である。
【図２】（ａ）は、本実施による引戸の全体を示す正面図であり、（ｂ）は、（ａ）中のＣ−Ｃ線横断面図である。
【図３】（ａ）（ｂ）は、図１中のＡを拡大して本実施による引戸の作動状態を示す簡略化した正面図である。
【図４】（ａ）（ｂ）は、図２（ａ）中のＤ−Ｄ線断面図の一部を拡大したものであり、本実施による引戸の作動状態を示す簡略化した縦断面図である。
【図５】本発明による他の実施形態の引戸の全体を示す正面図である。
【図６】（ａ）（ｂ）は、図５中のＥを拡大して本実施による引戸の作動状態を示す簡略化した正面図である。
【発明を実施するための形態】
【００１０】
以下に、図面に基づいて本実施による引戸の実施の形態を説明する。
本実施による引戸は、図１と図２（ａ）（ｂ）のように、枠１と、障子２と、自動開閉装置３と、自動開閉装置３の作動の有無を切り替える切り替え部とを有している。枠１は、躯体開口部１６の内周に沿わせて四周に設けてあり、そのうち上枠１ａには障子２を移動させるレール６が取り付けてある。障子２は、上框２ａと縦框と下框とからなり、上框２ａの上部には戸車７が設けてあり、その戸車７を上枠１ａのレール６に係止することで吊り下げてあり、これにより、レール６に沿って戸車７が走行して障子２を移動自在に取り付けている。
【００１１】
自動開閉装置３は、図３（ａ）を参照すれば、障子２の上框２ａに配置されるケース１４と、ケース１４の上部に配置される複数のギア１３と、コイル状に巻かれたゼンマイ１５とを有しており、ギア１３はケース１４上部から露出するもの以外に、ケース１４内部に径の違う駆動ギア１３ａが係合して内蔵してあり、この駆動ギア１３ａと同一軸にゼンマイ１５が巻かれている。これにより、ゼンマイ１５が変形してエネルギーが蓄積された後、その変形したゼンマイ１５が元に戻ろうとするものである。このように形成すると、ギア１３がラック８と係合しているときに障子２を開方向に移動させると、ギア１３と係合する駆動ギア１３ａの回転と同時にゼンマイ１５が巻かれていくことでエネルギーが蓄積される。そして、障子２から手を離すと、変形したゼンマイ１５が元に戻ろうとして障子２が自動的に閉じ方向にゆっくりと移動する。
【００１２】
切り替え部は、図３（ａ）及び図４（ａ）のように、ラック８と、ラックホルダー９とレバー１０とガイド部材１１とを有している。ラックホルダー９は、障子２の上框２ａと略同じ長さを有する長尺材であり、上框２ａと平行に配置してある。また、ラックホルダー９は、長手方向に間隔をあけた複数箇所に、ガイド部材１１のガイド孔１１ａに、上枠１ａの長手方向に間隔をあけた２箇所に設けてあり且つ見込み方向に突出した軸部１２を挿通することで、ラックホルダー９がガイド部材１１のガイド孔１１ａに沿って移動自在な状態で軸部１２に支持してある。ラック８は、ラックホルダー９の下端部のほぼ全長に亘って設けてあり、さらに、ラックホルダー９は、上枠１ａのレール６と障子２の間に配置してある。また、レバー１０は、ラックホルダー９から垂下し且つ、その下端１０ａが屈曲してほぼ水平に形成してあり、その水平な箇所には、指が掛けられるように形成してある（図４（ａ）（ｂ）参照）。そして、前述したレバー１０をレール６と平行してほぼ水平方向に操作することにより、図３（ｂ）及び図４（ｂ）のように、ガイド部材１１がガイド孔１１ａに沿って軸部１２で案内されながら移動してラックホルダー９が斜め下方向に移動し、ラック８が自動開閉装置３のギア１３に係合する。この状態では、自動開閉装置３が作動状態となっており、ギア１３がラック８に沿って係合しながら移動し、自動開閉装置３に内蔵されるゼンマイ１５の元に戻ろうとする力で障子２が閉じ方向にゆっくりと移動する。また、レバー１０を戻せば、ラックホルダー９がガイド部材１１のガイド孔１１ａに沿って斜め上方向に移動してラック８とギア１３の係合が解除されるので、自動開閉装置３に内蔵されるゼンマイ１５が巻かれないことから、自動開閉装置３が作動せず、これにより、通常の引戸として使用できる。尚、ガイド部材１１は、ラックホルダー９が長尺なこと、及びラックホルダー９の上下動を安定させることから、上枠１ａの長手方向に間隔をあけた２箇所に設けてある。
【００１３】
本発明の他の実施形態として、図５のように、ラック８を障子２の上部に配置すると共に、自動開閉装置３を上枠１ａに配置したものである。障子２と枠１と自動開閉装置３については、上記実施形態と略同じ構造であることから、相違する切り替え部のみ説明する。また、切り替え部についても、ラック８と、ラックホルダー９と、ガイド部材１１とを有する点で上記実施形態のものと略同じ構造であるが、軸部１２が障子２の上框２ａの一側と他側の両見付け面にそれぞれ設けてあり、その軸部１２にガイド孔１１ａを通して移動自在な状態でガイド部材１１が支持されている。このように形成すると、ラックホルダー９を操作することにより、図６（ａ）及び図６（ｂ）のように、ガイド部材１１がガイド孔１１ａに沿って軸部１２で案内されながら移動してラックホルダー９が斜め上方向に移動し、ラック８が自動開閉装置３のギア１３に係合する。さらに、ラックホルダー９を斜め下方向に移動して元位置に戻せば、ラック８とギア１３の係合が解除されるので、自動開閉装置３が作動せず、これにより、上記実施形態と同様に、切り替え部における操作で
自動開閉装置３が作動する引戸、または通常の引戸を任意に切り替えできるようになる。
【００１４】
本発明の引戸は、自動開閉装置３の作動の有無を切り替える手段を有するものであればよく、本実施のものでは上記のように、手動でラック８を上げ下げして自動開閉装置３のギア１３との係合、解除を切り替えるものを挙げたが、例えば、ラック８の上げ下げを電気的な制御により切り替えるものでもよい。また、本発明の引戸に取り付ける自動開閉装置３は、障子２を開方向に開けたときに閉鎖方向にゆっくりと戻そうとするもの（特開２００９−２２８４１０号公報参照）、障子２を開方向に開けたときに同一方向に移動するもの、また、障子２の開閉の両方向に移動するもの（特開２００７−０３９９９７号公報参照）等が挙げられる。また、引戸は、引違い戸、片引き戸のいずれのものでもよい。
【符号の説明】
【００１５】
１  枠
１ａ  上枠
２  障子
３  自動開閉装置
８  ラック
９  ラックホルダー
１０  レバー
１３  ギア
【図１】
0005603275.tif 000002
【図２】
0005603275.tif 000003
【図３】
0005603275.tif 000004
【図４】
0005603275.tif 000005
【図５】
0005603275.tif 000006
【図６】
0005603275.tif 000007